(57)【要約】【課題】部品点数を増やさない簡単な仕組みで警報音量を調節できるようにする。【解決手段】指令信号を受け付けると、警報信号を生成する信号生成部１４と、スピーカ１６を有し、警報信号をスピーカ１６から出力させる出力部１５と、警報信号の周波数を予め設定する設定部１３とを備え、出力部１５は、警報信号の周波数に応じてスピーカ１６の音量が変わる周波数特性を有しており、信号生成部１４は、設定部１３で設定された周波数の警報信号を生成して、スピーカの音量１６を調節できるようにしている。【選択図】図１
2011070409.tif 000002
【特許請求の範囲】
【請求項１】
指令信号を受け付けると、警報信号を生成する信号生成部と、
スピーカを有し、前記警報信号を前記スピーカから出力させる出力部と、
前記警報信号の周波数を予め設定する設定部とを備え、
前記出力部は、前記警報信号の周波数に応じて前記スピーカの音量が変わる周波数特性を有しており、
前記信号生成部は、前記設定部で設定された周波数の警報信号を生成して、前記スピーカの音量を調節できるようにした警報器。
【請求項２】
請求項１において、
前記信号生成部は、３ｋＨｚ〜４ｋＨｚの周波数域の警報信号を生成し、
前記出力部が有する周波数特性は、前記周波数域で単調であることを特徴とした警報器。
【請求項３】
指令信号を受け付けると、警報信号を生成する信号生成部と、
スピーカを有し、前記警報信号を前記スピーカから出力させる出力部と、
前記警報信号の波形を予め設定する設定部とを備え、
前記出力部は、前記警報信号の波形に応じて前記スピーカの音量が変わる特性を有しており、
前記信号生成部は、前記設定部で設定された波形の警報信号を生成して、前記スピーカの音量を調節する警報器。
【発明の詳細な説明】
【技術分野】
【０００１】
本発明は、自ら異常を検知したとき、あるいは外部から異常信号を受信したときに、警報を鳴動させる警報器の改良に関する。
【背景技術】
【０００２】
一般に、警報器が出力する警報音量は下限値のみが規定されている場合が多い。具体例を挙げると、火災警報器の警報音量は、ＮＳ規定値として約７０ｄＢ以上が要求されているが、実際の製品は、その規定値を上回るように、例えば、本体から１メートル離れた地点で８０ｄＢ以上となるように設定されている。しかしながら、警報音量の上限については特に規定はない。
【０００３】
しかしながら、電源電池の長寿命化、あるいは動作保証の観点で、警報音量を制御することも求められている。また、仕向地によっては、警報音量の下限、上限が規定されている場合もある。
【０００４】
警報音量を制御する従来技術の例としては、例えば、次の特許文献１には、警報器内部又は外部周辺近傍の温度を測定して、その温度に応じた音量設定をし、異常発生による警報の発報が指示されると、設定された音量の音声による警報を出力する構成が開示されている。具体的には、警報音量の制御は、音量の異なる２以上の音声データを用意しておき、それらの中から設定された音量となる音声データを適宜選択する、あるいは、音声データは共通として警報出力の際の増幅率を切り換える等によってなされる。
【先行技術文献】
【特許文献】
【０００５】
【特許文献１】特開2009-205593号公報
【発明の概要】
【発明が解決しようとする課題】
【０００６】
しかしながら、特許文献１の技術では、警報音声の音量を調節するための仕組みが複雑、例えば、複数の音声データを準備しておくためのメモリが必要、あるいは、増幅率を自由に調節できる出力部が必要等なため、コスト高になるという問題があった。そこで本発明は、簡単な仕組みで部品点数を少なくして警報音量を調節できるようにした警報器を提供することを目的とする。
【課題を解決するための手段】
【０００７】
本発明による警報器は、指令信号を受け付けると、警報信号を生成する信号生成部と、スピーカを有し、前記警報信号を前記スピーカから出力させる出力部と、前記警報信号の周波数を予め設定する設定部とを備え、前記出力部は、前記警報信号の周波数に応じて前記スピーカの音量が変わる周波数特性を有しており、前記信号生成部で、前記設定部で設定された周波数の警報信号を生成して、前記スピーカの音量を調節できる構成としている。
【０００８】
上記構成において、前記信号生成部は、３ｋＨｚ〜４ｋＨｚの周波数域の警報信号を生成するものであり、前記出力部が有する周波数特性は、前記周波数域で単調であることを特徴とする。
【０００９】
本発明による他の警報器は、指令信号を受け付けると、警報信号を生成する信号生成部と、スピーカを有し、前記警報信号を前記スピーカから出力させる出力部と、前記警報信号の波形を予め設定する設定部とを備え、前記出力部は、前記警報信号の波形に応じて前記スピーカの音量が変わる特性を有しており、前記信号生成部は、前記設定部で設定された波形の警報信号を生成して、前記スピーカの音量を調節できる構成としている。ここに、警報信号の周波数は一定であってもよい。
【発明の効果】
【００１０】
本発明では、設定部で警報信号の周波数を設定変更することによって、出力部が警報信号の周波数に応じてスピーカの音量を変える周波数特性を有していることから、周波数を変更すれば警報音量の調節ができるようになっている。このようにすれば、警報音量を調節するために、出力部の増幅率を変化させる仕組みが不要なので、仕組みが簡単であり、コストも抑えられる。特に、警報信号をパルス信号として、マイコン等から出力させる場合には、警報信号の周波数の調節がプログラム処理で簡単に行える。また、警報音量の下限、上限が規定されている場合でも、その規定に対応した製品を安価に得ることができる。
【００１１】
特に、信号生成部で、３ｋＨｚ〜４ｋＨｚの周波数域の警報信号を生成し、出力部が有する周波数特性を、その周波数域で単調となる構成にすれば、周波数と警報音量との関係が単純なため、調整がより簡単にできる。
【００１２】
また、設定部で警報信号の波形を設定変更することによって、警報音量の調節ができる構成としても、上記と同様の効果が期待できる。
【図面の簡単な説明】
【００１３】
【図１】は、実施例の基本的なブロック図である。
【図２】は、実施例の全体的な斜視図である。
【図３】は、スピーカの周波数特性の一例である。
【図４】（ａ）は警報信号の基本波形図、（ｂ）は警報信号の周波数を高く調節した例、（ｃ）は警報信号の周波数を低く調節した例である。
【図５】（ａ）、（ｂ）は、警報器の複数サンプルにおける警報音量、周波数のバラツキ具合を示した分布図で、（ａ）の調節前の分布状態、（ｂ）は調節後の分布状態である。
【発明を実施するための形態】
【００１４】
以下、住宅用の火災警報器を実施例として、図に従って具体的に説明する。この警報器は、住宅の天井面あるいは壁面に取り付けて使用され、火災要因として空気中の煙濃度を監視して火災発生と判断すると、火災警報として特定周波数のブザー音等を出力するものである。また、外部センサ、あるいは他の火災警報器等から異常信号を受信した場合も、同様に警報を出力する機能を有している。
【００１５】
図１は、実施例の基本的なブロック図で、警報器１は、基本的な構成要素として、煙濃度を検知する検知部１１と、外部の機器から異常信号を受信する受信部１２と、警報信号の周波数を予め設定する設定部１３と、スピーカ１６から出力すべき警報信号を生成する信号生成部１４と、その警報信号を増幅してスピーカ１６から出力させる出力部１５と、各部を制御する制御手段１７とを備える。更に、警報の停止操作を受け付ける操作部や、装置の状態を示す作動ランプ等を備えてもよい。この警報器１は、源原電池で作動するものに限られず、商用電源を整流降圧した電源によって作動するものであってもよい。
【００１６】
図２は、実施例の外観を示した斜視図であって、警報器１は、検知部１１を突設させた本体部１ａに、スピーカ１６を収容した鳴動部１ｂを連設した構造になっている。検知部１１は通気孔１ｃを設けた保護カバーで覆われており、鳴動部１ｂには通音孔１ｄが形成されている。
【００１７】
検知部１１の具体的な構成は特に制限されない。例えば、光電方式で煙粒子を検出するものでもよい。具体的には、遮光しつつ空気の流通を許容するラビリンス壁で囲まれた検知空間内に、発光ダイオード等で構成した発光部と、ホトダイオード等で構成した受光部とを適宜配置し、発光部から照射された光が煙粒子によって反射された反射光を受光部で光電変換して、検知信号として出力するようにしてもよい。
【００１８】
受信部１２の具体的な構成も特に制限されない。例えば、単純に、他の機器から異常信号として接点信号を受け付ける構成としてもよいし、無線通信によって異常信号を受け付けるような構成としてもよい。
【００１９】
検知部１１が出力する検知信号、受信部１２が受信する異常信号は、発報指令信号として、信号生成部１４に伝送される。
【００２０】
信号生成部１４は、例えば、警報信号として、所望の周波数のパルス信号を生成する発振回路等で構成され、設定部１３で設定された周波数の信号を生成する。ここで生成するパルス信号は、例えば３ｋＨｚ〜４ｋＨｚの周波数域であることが望ましい。この周波数域は、一般の人が聞き取りやすい帯域である。特に老人には、４ｋＨｚ以上の周波数域を聞き取り難くなる傾向がある。
【００２１】
設定部１３は、半固定抵抗、あるいはディップスイッチ等で構成され、電源の有無に関わらず、周波数の設定値が保持されるようになっている。なお、アップ、ダウンキー等によって周波数を設定し、その値を不揮発性のメモリ素子に記憶するようにしてもよい。
【００２２】
出力部１５は、例えばオペアンプ等の増幅回路で構成され、信号生成部１４が出力した警報信号を所定の増幅率で増幅して、スピーカ１６から出力させるが、本発明の特徴として、出力部１５は、警報信号の周波数に応じてスピーカ１６の音量が変わる周波数特性を有する。なお、増幅回路の増幅率は一定であってもよい。
【００２３】
スピーカ１６は、一般的なコーン紙を有したもの、あるいは圧電式のもの等で構成されるが、本発明では、特に警報信号の周波数域で単調（単調増加または単調減少）な周波数特性を有するものを使用する。なお、スピーカ１６の周波数特性は、振動板の質量、径等によって物理的に定まるので、条件にあう機種を選択すればよい。
【００２４】
制御手段１７は、例えば、マイコン等で構成してもよい。その場合は、所定のタイミングで設定部１３を参照して周波数の設定値を読み取り、その値に従って、信号生成部１４に、警報信号の周波数を設定する。
【００２５】
図３は、スピーカ１６の周波数特性の一例を示したものである。この例では、警報信号の周波数域は、３ｋＨｚ〜４ｋＨｚに設定されており、その帯域でスピーカの周波数特性は単調増加型になっている。従って、警報信号の振幅が等しい場合、周波数を高く調節すれば、警報音量は上がり、周波数をより低く調節すれば、警報音量は下がる。なお、実際の調節作業は、例えば警報音量が目標値に近い値となるように、製品毎に、スピーカ１６から警報を出力させ、その音量を測定器によって測定しながら、警報信号の周波数を調節する。
【００２６】
図４（ａ）〜図４（ｃ）は、図３のスピーカ１６に対応した音量調節の例を示した波形図で、（ａ）は、３８４８Ｈｚの警報信号の基本波形である。（ｂ）では音量を上げるために、警報信号の周波数を高くしており、（ｃ）では音量を下げるために、警報信号の周波数を低くしている。
【００２７】
図５（ａ）、図５（ｂ）は、警報器１の複数サンプルにおける警報音量、周波数のバラツキ具合を、本発明による音量調節の前後で示した分布図で、（ａ）の調節前の分布状態では、音量のバラツキは大きく、周波数は３８４８Ｈｚを中心にバラツキが小さいのに対して、（ｂ）の調節後の分布状態では、音量は８４ｄＢを中心にバラツキが小さくなり、周波数のバラツキは大きくなっている。
【００２８】
なお、近時、安価な汎用マイコンでも、タイマ、プログラマブルＩ／Ｏ（インプット・アウトプット）等をワンチップに集積したものが多数市販されている。そのようなマイコンでは、信号生成部１４と、制御手段１７とを簡単に構成できる。
【００２９】
具体的には、検知部１１、受信部１２、設定部１３、および出力部１５を、マイコンのＩ／Ｏポートに接続し、その中でＩ／Ｏポートの中、検知部１１、受信部１２、設定部１３に接続したものは入力モードに、出力部１５に接続したものは出力モードに設定する。そして、タイマによって周期的に検知タイミングを発生させ、そのタイミングに従って検知部１１、受信部１２に接続したＩ／Ｏポートを参照し、発報指令信号が入力されていれば、発報動作を開始する。発報動作では、タイマによって、警報信号の立ち上がり、立ち下がりのタイミングを発生させ、そのタイミングに従って、出力部１５に接続したＩ／Ｏポートを駆動して、警報信号を出力させる。また、同時に、タイマによって周期的に設定部１３の参照タイミングを発生させ、そのタイミングに従って、設定部１３を参照し、読み取った設定値に従って、警報信号のパルス波の立ち上がり、立ち下がりのタイミングを調節する。
【００３０】
このように、本発明は、警報音量を、警報信号の周波数を変えて調節しているので、出力部１５の増幅率を変化させるための仕組みが不要である。従って、仕組みが簡単で、部品点数が削減でき、コストも抑えられる。特に、警報信号をパルス信号として、マイコン等から出力させる場合には、周波数の変更がプログラム処理で簡単に行える。また、警報音量の下限、上限が規定されている場合でも、その規定に対応した製品を安価に得ることができる。
【００３１】
特に、信号生成部１４で、３ｋＨｚ〜４ｋＨｚの周波数域の警報信号を生成し、出力部１５はその周波数域において単調な周波数特性を有する構成とすれば、周波数と警報音量との関係が単純であるため、調整作業が容易になる。
【００３２】
他の実施例として、設定部１３では、警報信号のパルス波形（ハイレベルとローレベルとの比率）を予め設定し、信号生成部１４は、設定部１３で設定されたパルス波形の警報信号を生成して、スピーカ１６の音量を調節する構成としてもよい。この場合、出力部１５は、警報信号の波形に応じてスピーカ１６の音量が変わる特性を有するようにする。このようにしても、上記と同様の効果が得られる。
【符号の説明】
【００３３】
１    警報器
１３  設定部
１４  信号生成部
１５  出力部
１６  スピーカ
【図１】
2011070409.tif 000003
【図２】
2011070409.tif 000004
【図３】
2011070409.tif 000005
【図４】
2011070409.tif 000006
【図５】
2011070409.tif 000007